(57)【特許請求の範囲】
【請求項１】
排水穴を有する後壁及び一対の側壁を底板に平面視で略冂字状に立設してなる桝本体内に高さの可変な水位調整板を設置して水田の水位調整を行う水位調整器内に、前記水位調整板より背高に形成し、下部側に前記排水穴より小径の放水穴を設けたダム板と、該ダム板の幅方向両端に設け、前面が前記水位調整板に当接し、後面が前記後壁に当接する一対の支持板とから平面視で略Ｈ字状に構成した田んぼダム機構を設けることにより、前記水位調整板を越流する水田水を前記水位調整器内に貯留しつつ前記放水穴から前記排水穴側に少しずつ排出するようにした田んぼダム機能を有する水田用水位調整装置。
【請求項２】
前記支持板は、前面及び／又は後面に当接弾性材を設けることにより、前記後壁と水位調整板の間隔が異なる水位調整器にも挿設可能であることを特徴とする請求項１記載の田んぼダム機能を有する水田用水位調整装置。
【請求項３】
排水穴を有する桝本体内に高さの可変な水位調整板を挿設し、水田の水位を調整するようにした水位調整器内に、前記水位調整板より背高で前記排水穴より小径の放水穴を設けたダム板に幅方向両端に一対の支持板を設けて平面視で略Ｈ字状に構成した田んぼダム機構を、該支持板の前面が前記水位調整板に当接し、後面が前記桝本体の後壁に当接するように配設し、前記水位調整板を越流する水田水を貯留しつつ前記放水穴から前記排水穴側に少しずつ排水するようにした田んぼダム化法。
【発明の詳細な説明】
【技術分野】
【０００１】
本発明は、水田用水位調整器に田んぼダム機構を持たせることにより水田をダム化し、また水田水の放出を抑制して下流側の水害の防止を目的とした田んぼダム機構を設けた水田用水位調整装置及び田んぼのダム化法に関する。
【背景技術】
【０００２】
水田は稲の生育時期に応じて水位を調整する必要があることから、水位調整器（水位調整桝ともいう。）を畔に設置している。水位調整器には種々のものがあるが、一例として、桝本体内に土圧を受ける受圧板と、受圧板が圧接することで高さ位置が規制される水位調整板とから大略構成してある（特許文献１）。
【先行技術文献】
【特許文献】
【０００３】
【特許文献１】特許第４８１７１５９号特許公報
【発明の概要】
【発明が解決しようとする課題】
【０００４】
ところで、近年異常気象が常態化して各地で局地的豪雨に見舞われる事象が起きている一方、山林の保水力が低下していることから土砂の流失や水害の多発が問題化している。そこで、水田の貯水能力を降雨時にダムとして機能させ、また水田に降る雨が一度に流下して下流側に水害や土石流災害が起きるのを防止する田んぼダムによる災害の発生防止を目的とする技術が求められている。
【０００５】
しかし、従来の水位調整器は水田の水位調整が目的で、水田に大量の雨が降った場合の対応について考慮していないため、水田に降った大量の雨は水位調整板を越流させて桝本体の排水穴から放出させており、排水穴の放出量が対応できない場合には桝本体から畦に溢れさせているのが現状である。
【０００６】
そして、田んぼに貯水能力を持たせてダムとして機能させるとしても、従来の水田用水位調整器では雨水を貯留して少しずつ放出する構成にはなっていない。このため、大雨の場合は、水位調整板を最大限引き上げて高くする、別途長い板を水位調整器に設置するといった対応しかできないのが現状である。
しかし、降雨時の作業は危険が伴うこと、面倒であるとしてダム化に非協力な人や兼業農家のように不在の人もいることから実効性がないという問題がある。
そこで、水田をダム化する提案がなされており、一例として堰板の片側に咬ませをして片方を浮かせ三角形状の開口から排水する方法がある。しかし、水田水を一時貯留して少しずつ放出する構成ではないため、水の放出量の設定が面倒であるといった問題点がある。
【０００７】
本発明は発明者が従来技術の未解決の問題点に鑑み鋭意研究した結果なされたもので、畦に設置する水位調整器に田んぼダム機構を組み合わせ、水田水を一旦貯留して少しずつ放出することで田んぼの貯水量を増加して田んぼをダム化し、また放水量を抑制して水害を防止するようにした田んぼダム機構を有する水田用水位調整装置及び田んぼのダム化法を提供することを目的とする。
【課題を解決するための手段】
【０００８】
上述した課題を解決するために構成した請求項１に係る本発明の手段は、  排水穴を有する後壁及び一対の側壁を底板に平面視で略冂字状に立設してなる桝本体内に高さの可変な水位調整板を設置して水田の水位調整を行う水位調整器内に、前記水位調整板より背高に形成し、下部側に前記排水穴より小径の放水穴を設けたダム板と、該ダム板の幅方向両端に設け、前面が前記水位調整板に当接し、後面が前記後壁に当接する一対の支持板とから平面視で略Ｈ字状に構成した田んぼダム機構を設けることにより、前記水位調整板を越流する水田水を前記水位調整器内に貯留しつつ前記放水穴から前記排水穴側に少しずつ排出するようにしたものからなる。
【０００９】
そして、前記支持板は、前面及び／又は後面に当接弾性材を設けることにより、前記後壁と水位調整板の間隔が異なる水位調整器にも挿設可能にするとよい。
【００１０】
請求項３に係る本発明を構成する手段は、排水穴を有する桝本体内に高さの可変な水位調整板を挿設し、水田の水位を調整するようにした水位調整器内に、前記水位調整板より背高で前記排水穴より小径の放水穴を設けたダム板に幅方向両端に一対の支持板を設けて平面視で略Ｈ字状に構成した田んぼダム機構を、該支持板の前面が前記水位調整板に当接し、後面が前記桝本体の後壁に当接するように配設し、前記水位調整板を越流する水田水を貯留しつつ前記放水穴から前記排水穴側に少しずつ排水するようにしたものからなる。
【発明の効果】
【００１１】
本発明は上述の如く構成したから、下記の諸効果を奏する。
（１）畦に設置する水位調整器に田んぼダム機構を設けることにより、水田に雨水を貯えるダム機能を持たせ、かつ貯留する水を少しずつ放出するようにしたので下流側の水害を防止するし、水田を水害の防止に有効活用することが出来る。
（２）既設の水位調整器に田んぼダム機構を一度組付けるだけで、工事を行うことなく田んぼダム機能を簡単に、安価に、また長年に亘り持たせることが出来る。
（３）田んぼダム機構は、放水穴を設けたダム板と、ダム板の幅方向両端に設けた一対の支持板とから平面視で略Ｈ字状の構成にしたから、縦溝のない水位調整器に田んぼダム機能を持たせることができるし、製作も安価であり、既存の水位調整器に簡単に組付けることができるので農家も面倒なくダム化に取り組むことができる。
また、排水溝の水位上昇による逆流によって後方から水圧を受けた時でも支持板がダム板を確実に支えることができる。
（４）水位調整器にダム板からなる田んぼダム機構を一度組付けることでダム化できるから、見回りながら操作する必要がない、降雨時の危険な作業を不要にできる、多忙な農家等の負担を軽減する、水田をダム化することに消極的な農家が実施する割合が増加する、といった多くの利点がある。
（５）田んぼダム機構の支持板は、前面及び／又は後面に当接弾性材を設けることにより後壁と水位調整板の間隔が異なる水位調整器にも対応することが出来る。
【図面の簡単な説明】
【００１２】
【図１】図１乃至図４は本発明の第１の実施の形態に係り、図１は水田用水位調整装置の斜視図である。
【図２】田んぼダム機構の斜視図である。
【図３】水田用水位調整装置の平面図である。
【図４】図３中のＩＶ−ＩＶ矢示方向断面図である。
【図５】図５及び図６は第２の実施の形態に係り、図５は田んぼダム機構の斜視図である。
【図６】水田用水位調整装置の縦断面図である。
【図７】第３の実施の形態に係る田んぼダム機構の斜視図である。
【図８】第４の実施の形態に係る水田用水位調整装置の斜視図である。
【発明を実施するための形態】
【００１３】
以下、本発明の第１の実施の形態を図１乃至図４に基づき詳述する。図において、１は水田用水位調整器（以下、水位調整器１と称する。）を示す。２は該水位調整器１を構成するコンクリート製の桝本体で、該桝本体２は底板２Ａと、底板２Ａの幅方向両端に起立した一対の側壁２Ｂ、２Ｂと、該一対の側壁２Ｂ、２Ｂに幅方向両端を連結して前記底板２Ａの後端に起立した後壁２Ｃと、該後壁２Ｃに設けた直径１５０ｍｍの排水穴２Ｄと、前記一対の側壁２Ｂ、２Ｂの内面に対向して縦方向に設けたガイド溝２Ｅと、該ガイド溝２Ｅの位置に対応して前記底板２Ａの上面に設けた受圧板支持溝２Ｆとから構成してある。
【００１４】
３は桝本体２の略下半分に設置する受圧板で、該受圧板３は平板からなる板本体３Ａの上端側に後向きに係止ストッパー３Ｂを突設した形状からなり、幅方向両端側をガイド溝２Ｅ、２Ｅに嵌入し、下端を受圧板支持溝２Ｆに嵌合してある。
【００１５】
４は前記受圧板３の上方に位置して桝本体２に挿装した水位調整板を示す。該水位調整板４は平板からなる板本体４Ａと、該板本体４Ａの下端側に突設し、前記係止ストッパー３Ｂと接離する係合ストッパー４Ｂと、板本体４Ａの上端に前向きに突設した操作用突状部４Ｃとからなり、幅方向両端側をガイド溝２Ｅ、２Ｅに摺動可能に嵌入してあり、係合ストッパー４Ｂが係止ストッパー３Ｂに当接する状態を上限として昇降することで水位調整を行うようになっている。
かくして、水田用水位調整器１は桝本体２、受圧板３及び水位調整板４から構成してある。
【００１６】
５は上記の構成からなる水田用水位調整器１の後壁２Ｃと水位調整板４との間に配設したアルミニュウム製の田んぼダム機構を示す。なお、後述する他の実施の形態においても田んぼダム機構はアルミニュウム製なので、特に明示しない。６は該田んぼダム機構５を構成するダム板で、該ダム板６は水位調整板４を最も引上げた場合の上端４Ｄより背高の高さに設定した平板からなる板体６Ａと、該板体６Ａの下端側に形成した後壁２Ｃの排水穴２Ｄより小径で穴径が約５０ｍｍの放水穴６Ｂとから形成してある。
【００１７】
７、７は前記ダム板６の幅方向両端に略Ｈ字状を成すように設けた一対の支持体を示す。該各支持体７はダム板６と同じ高さで、後壁２Ｃと水位調整板４との間に嵌合する前後幅に設定し、略中間にダム板６を接続した板本体７Ａと、ダム板６を挟むように該板本体７Ａの内面に固着した補強板体７Ｂ、７Ｂとから構成してある。そして、支持板７は前面７Ｃが水位調整板４に当接し、後面７Ｄが水位調整器１の後板２に当接するようにしてある。
【００１８】
田んぼダム機構５を有する水田用水位調整装置は上述の構成からなるもので、次にその作用について説明する。水位調整器１と田んぼダム機構５によって、桝本体２の底板２Ａと一対の側壁２Ｂ、２Ｂ、受圧板３と水位調整板４及びダム板６によって空間を画成している。ダム板６の放水穴６Ｂは桝本体２の排水穴２Ｄより小径に形成してあるから、空間は水位調整板４を越流して流入する水田水の貯留槽８として機能する。
これを図４に基づき説明すると、水位調整板４を最も引上げた場合の水位調整器１の水位はＡであるが、水位調整板４を越流して貯留槽８に流入する水田水はダム板６の上端６Ｂまで貯留することから田んぼの水位はＢの高さになり田んぼの貯水量が増加することでダム機能を持つことができる。
そして、放水穴６Ｂから水田水を少しずつ放出することで、降雨が止んだ後は水位調整板４の本来の高さまで貯留水は制御されるから、ダム板６を操作する必要はない。
【００１９】
また、水位調整器１内でダム板６の後側の空間は溢れ水処理槽９として機能し、大量降雨でダム板６を越流する水が畦を越えることなく全て水位調整器１内で排水させるためと、ダム板６の放水穴６Ｂがごみ詰まりで放水できなくなった場合の溢れ水を処理するものである。
【００２０】
図５及び図６は第２の実施の形態を示す。図において、１１は田んぼダム機構を示す。１２は該田んぼダム機構１１を構成するダム板で、該ダム板１２は平板からなる板本体１２Ａと、該板本体１２Ａの下端側に設けた直径約５０ｍｍの放水穴１２Ｂとから形成してある。１３、１３は前記ダム板１２の幅方向両端に設けた一対の支持板で、該各支持板１３は平板からなり、幅方向略中間にダム板１２が嵌合する縦溝１３Ａを設けることにより、ダム板１２と一対の支持板１３、１３は平面視で略Ｈ字状に組付けた構成になっている。
【００２１】
１４、１４は前記各支持板１３の前面１３Ｂと後面１３Ｃに設けた前後一対の当接弾性材を示す。該各当接弾性材１４は弾性を有する合成樹脂材により弓型に成形したものからなり、下端側１４Ａを支持板１３の前面１３Ｂ、後面１３Ｃに接着し、先端側１４Ｂを自由端にすることにより扁平可能にしてある。このように構成することにより、ダム板１２を水田用水位調整器１５に円滑に挿設することができる。
【００２２】
本実施の形態は上述の構成からなり、田んぼダム機能は第１の実施の形態と同じであるが、水位調整器１５の後壁１５Ａと水位調整板１５Ｂとの間隔がダム板１２よりも広い水位調整器１５でも、図６に示すように当接弾性材１４、１４が水位調整板１５Ｂと後壁面１５Ａに夫々当接することによってたんぼダム機構１１は安定性よく挿設することが出来る。
【００２３】
なお、当接弾性材１４は支持板１３の前面１３Ｂ又は後面１３Ｃのいずれか一方に設ける構成にしてもよい。
【００２４】
図７は第３の実施の形態に係る田んぼダム機構２１を示し、その特徴はダム板２２と一対の支持板２３、２３を平面視で略Ｈ字状に一体成形し、放水穴２２Ａは型抜きできるように下方が開放する逆Ｕ字状に形成したことにある。
本実施の形態によれば、田んぼダム機構２１を容易に、安価に製作することができる。
【００２５】
図８は第４の実施の形態を示す。図において３１は水位調整器で、該水位調整器３１は第１の実施の形態における水位調整器１と同様の構成からなり、底板３２Ａ、一対の側壁３２Ｂ、３２Ｂ、後壁３２Ｃから平面視で略冂字状に形成し、後壁３２Ｃに排水穴３２Ｄ（図示せず。）を設けた桝本体３２と、該桝本体３２内に挿設した受圧板３３及び水位調整板３４とから構成してあり、前記側壁３２Ｂの前後方向略中間には縦溝３５、３５が一対設けてある。
【００２６】
３６は前記水位調整器３１に設けた田んぼダム機構で、該田んぼダム機構３６は前記一対の縦溝３５、３５に幅方向両端側を嵌合したダム板３７で構成してある。該ダム板３７の下端側に放水穴３７Ａ（図示せず。）が設けてあり、ダム板３７と受圧板３３及び水位調整板３４との空間は貯留槽３８になっている。
【００２７】
本実施の形態は上述の構成からなり、水位調整板３４を越流した水田水は貯留槽３８に貯留することで田んぼの水位はダム板３７の上端３７Ｂにまで貯留させることが出来る。
【００２８】
なお、上記各実施の形態において放水穴６Ｂ、１２Ａ、２２Ｂの穴径を約５０ｍｍに設定したが、本発明はこの数値に限定されるものではなく、要は水位調整器１の排水穴２Ｄの排水量より放水穴６Ｂ、１２Ａ、２２Ｂの放水量を少なくして貯留槽８に水田水が貯留することができる大きさの穴であればよい。
【００２９】
また、田んぼダム機構５をアルミニュウム製で製作したが、例えば繊維強化合成樹脂材で製作してもよいものである。
【符号の説明】
【００３０】
１、３１      水位調整器
２、３２      桝本体
２Ａ、３２Ａ      底板
２Ｂ、３２Ｂ      側壁
２Ｃ、３２Ｃ      後壁
２Ｄ、３２Ｄ      排水穴
３、３３        受圧板
４、３４        水位調整板
５、１１、２１、３３    田んぼダム機構
６、１２、２２、３７    ダム板
６Ｂ、１２Ｂ、２２Ｂ、３７Ａ    放水穴
７、１３、２３    支持板
７Ｃ、１３Ｂ 前面
７Ｄ、１３Ｃ 後面
１４        当接弾性材
【要約】
【課題】畦に設置する水位調整器を利用し、増水した田んぼからの水田水を貯留しつつ少しずつ放出して下流側の水害を防止し、田んぼにダム機能を持たせることができるようにした田んぼダム機構を有する水田用水位調整装置及び水田のダム化法を提供する。
【解決手段】水位調整器１は底板に後壁２Ｃ及び一対の側壁２Ｂを立設して平面視で略冂字状に形成し、受圧板３と水位調整板４が挿設してある。アルミニュウム製の田んぼダム機構５のダム板６は水位調整板４より背高で、後壁２Ｃの排水穴より小径の放水穴が下側に設けてある。ダム板６と両端の支持板７とから平面視で略Ｈ字状に形成してある。田んぼダム機構５は水位調整器１の後壁２Ｃと水位調整板４との間に挿設し、水位調整板４を越流した水田水は貯留槽８に貯留しつつ放水穴から少しずつ放出する。
【選択図】図１【図１】
0005939526.tif 000002
【図２】
0005939526.tif 000003
【図３】
0005939526.tif 000004
【図４】
0005939526.tif 000005
【図５】
0005939526.tif 000006
【図６】
0005939526.tif 000007
【図７】
0005939526.tif 000008
【図８】
0005939526.tif 000009